(57)【要約】【課題】安心して動物を気絶させたり、死に至らしめたりすることができる電気とめさし器を提供する。【解決手段】電気とめさし器１は、樹脂またはゴムなどの絶縁性材料で形成された、かつ、長手方向を有する棒状である本体２、本体２の一端に取付けられた針部３、略円形状の鍔部４、電源部５を備える。鍔部４は本体２の外側面に、本体２の長手方向と略直交する方向へ突出して取付けられている。電源部５は、針部３と電気的に接続された、かつ、針部３に所定のパルス状電圧または擬似正弦波電圧を印加可能な電圧印加回路５Ａを有する。暴れ回るイノシシに針部３を突き刺すが、本体２の外側面に本体２の長手方向と略直交する方向へ突出して鍔部４が取付けられているので、作業者の、本体２を持った手が滑っても、鍔部４に手が当たり、手が針部３やイノシシに接触してしまうことはない。【選択図】図１
0003202830.tif 000002
【実用新案登録請求の範囲】
【請求項１】
絶縁性材料で形成されており、かつ、長手方向を有する本体と、
該本体の外側面に同本体の長手方向と略直交する方向へ突出して取付けられた鍔部と、
前記本体の一端に取付けられており、かつ、同本体に取付けられた側とは反対側が針状であり、かつ、導電性材料で形成された針部と、
該針部と電気的に接続された、かつ、同針部に所定の電圧を印加可能な電圧印加回路と、該電圧印加回路に電力を供給可能なバッテリーとを有する電源部と、
前記電圧印加回路と電気的に接続された、かつ、電圧が印加されたときに前記針部の極と異なる極となるアース部とを備える
電気とめさし器。
【請求項２】
前記電源部は、前記針部が短絡したときに、前記電圧印加回路からの電圧印加を停止可能な回路保護部を有する
請求項１に記載の電気とめさし器。
【請求項３】
前記電源部は、前記バッテリーの残量を表示可能なバッテリー残量表示部を有する
請求項１または請求項２に記載の電気とめさし器。
【請求項４】
前記電源部には、外部から電力を供給するための電力供給用コネクタを装着可能な充電用コネクタを有する充電口が形成された
請求項１、請求項２または請求項３に記載の電気とめさし器。
【考案の詳細な説明】
【技術分野】
【０００１】
本考案は電気とめさし器に関する。詳しくは、例えば、捕獲したイノシシなどの動物を気絶させたり、死に至らしめたりするための電気とめさし器に係るものである。
【背景技術】
【０００２】
山間の農業地域では、イノシシや鹿などの動物が田畑へ侵入して、農作物を食い荒らしてしまう食害が多発している。
そこで、動物の田畑への侵入を防止するために、田畑の周囲に防護柵が設置されている。
【０００３】
防護柵としては、フェンスや電気柵が用いられており、田畑への動物侵入を防止する上で一定の成果を上げている。
しかし、防護柵に侵入を阻まれた動物は、他の田畑へ侵入し食害を与える。従って、その田畑の周囲にも防護柵の設置が必要となる。
【０００４】
すなわち、防護柵の設置は、一時凌ぎの食害防止策であることは否めない。
そこで近年、田畑へ侵入する動物の捕獲が勧められている。
【０００５】
また、捕獲方法としては、箱罠を用いて捕獲する方法が多い。そして、様々な箱罠が提案されている。
例えば、特許文献１には、図７に示すような檻が記載されている。
すなわち、特許文献１に記載された檻１００は、側柵（１０１、１０２、１０３）と、天井柵１０４と、入り口柵１０５と、底柵１０６とが互いに接続されて組み立てられている。また、入り口柵１０５は、上下に可動する。
また、檻１００の内部の底面すなわち底柵１０６の上面には、網の周囲を固定した可動枠１０７が載置されている。
【０００６】
また、複数本の鋼材が縦横に組み合わされて構成された引き上げ枠１１０が、檻１００の天井柵１０４の上面に載置されている。
また、引き上げ枠１１０の中央近傍には、上方に伸びた引き上げ索１１３の一端が接続されており、引き上げ枠１１０の四隅近傍には、下方に伸びた接続部１０８の一端が接続されている。
また、接続部１０８の他端は可動枠１０７に接続されている。
【０００７】
また、天井柵１０４の上方には、２本のブリッジ支柱１１１と、ブリッジ支柱１１１の上端に架設されたブリッジバー１１４とで構成されたブリッジ部が配置されている。
また、ブリッジバー１１４の略中央には巻き上げ機１１２の本体が取付けられており、巻き上げ機１１２の本体に、引き上げ索１１３の他端が接続されている。
【０００８】
また、巻き上げ機１１２により、引き上げ枠１１０を引き上げ、それにともない接続部１０８を介して可動枠１０７および網を天井柵１０４に向かって上昇させる。
【０００９】
エサで檻の内部に誘い込まれたイノシシなどの動物は、可動枠１０７の網の上に立った状態となり、その状態で巻き上げ機１１２を操作して可動枠１０７および網を天井柵１０４に向かって上昇させる。
すると、動物の四肢が可動枠１０７に張られた網目の中に入り込み、引き上げを続行することで動物の腹部を包み込む状態で動物を宙吊り状態にして、その動きを拘束する。
【先行技術文献】
【特許文献】
【００１０】
【特許文献１】実用新案登録第３１９００８１号公報
【考案の概要】
【考案が解決しようとする課題】
【００１１】
一般的に、捕獲された動物は気絶させられたり、死に至らしめられたりして、食用の肉に加工される。
しかし、作業者が刃物で動物を気絶させたり、死に至らしめたりしようとするとき動物は大暴れするので、作業は容易ではない。
【００１２】
特許文献１に記載の檻によって動物は宙吊りにされるが、宙吊りになっているだけで依然として動物は元気であり、作業者が刃物を動物に刺し込んで気絶させたり、死に至らしめたりしようとするときに体を激しく動かして抵抗するおそれがある。
【００１３】
また、動物を気絶させたり、死に至らしめたりするときに使用する道具として、一般的には槍が使用されている。
しかし、槍を使って気絶させたり、死に至らしめたりする場合には、動物を槍で突き刺すので、槍を持つ作業者の手が滑って、槍先端の刃や動物に手が触れてしまうおそれがあり、安心して動物を気絶させたり、死に至らしめたりするという点で問題があった。
【００１４】
本考案は、以上の点に鑑みて創案されたものであり、安心して動物を気絶させたり、死に至らしめたりすることができる電気とめさし器を提供することを目的とする。
【課題を解決するための手段】
【００１５】
上記の目的を達成するために、本考案の電気とめさし器は、絶縁性材料で形成されており、かつ、長手方向を有する本体と、該本体の外側面に同本体の長手方向と略直交する方向へ突出して取付けられた鍔部と、前記本体の一端に取付けられており、かつ、同本体に取付けられた側とは反対側が針状であり、かつ、導電性材料で形成された針部と、該針部と電気的に接続された、かつ、同針部に所定の電圧を印加可能な電圧印加回路と、該電圧印加回路に電力を供給可能なバッテリーとを有する電源部と、前記電圧印加回路と電気的に接続された、かつ、電圧が印加されたときに前記針部の極と異なる極となるアース部とを備える。
【００１６】
ここで、絶縁性材料で形成されており、かつ、長手方向を有する本体と、本体の一端に取付けられており、かつ、本体に取付けられた側とは反対側が針状である針部とによって、作業者は、感電することなく、本体を持って、動物と距離を置きながら針部を動物に突き刺すことができる。
【００１７】
また、導電性材料で形成された針部と、針部と電気的に接続された、かつ、針部に所定の電圧を印加可能な電圧印加回路とによって、針部を動物に突き刺した状態で、動物に所定の電圧を与えることができる。
ここで、「所定の電圧」とは、動物に衝撃を与え、動物を気絶または死に至らしめることができる程度の電圧を意味する。
【００１８】
また、本体の外側面に本体の長手方向と略直交する方向へ突出して取付けられた鍔部によって、作業者の本体を持った手が滑って針部や動物に接触してしまうことを防止できる。
【００１９】
また、電圧印加回路と電気的に接続された、かつ、電圧が印加されたときに針部の極と異なる極となるアース部によって、作業者は、アース部を接地するだけで、地面に接している動物をアース部に接触していることにすることができる。
【００２０】
また、本考案の電気とめさし器において、電源部は、針部が短絡したときに、電圧印加回路からの電圧印加を停止可能な回路保護部を有するものとすることができる。
【００２１】
この場合、針部が金属に接触して短絡しても、電圧印加回路を保護することができる。
【００２２】
さらに、本考案の電気とめさし器において、電源部は、バッテリーの残量を表示可能なバッテリー残量表示部を有するものとすることができる。
【００２３】
この場合、作業者はバッテリーの残量を知ることができる。
【００２４】
また、本考案の電気とめさし器において、電源部には、外部から電力を供給するための電力供給用コネクタを装着可能な充電用コネクタを有する充電口が形成されたものとすることができる。
【００２５】
この場合、バッテリーを電源部から出したり、電源部に入れたりすることなくバッテリーを充電することができる。
【考案の効果】
【００２６】
本考案に係る電気とめさし器によって、安心して動物を気絶させたり、死に至らしめたりすることができる。
【図面の簡単な説明】
【００２７】
【図１】本考案を適用した電気とめさし器の一例を示す概略図である。
【図２】本考案を適用した電気とめさし器の電源部の一例を示す概略図である。
【図３】本考案を適用した電気とめさし器の鍔部の一例を示す概略図である。
【図４】本考案を適用した電気とめさし器を用いて、檻に入れられたイノシシなどの動物を気絶させたり、死に至らしめたりする様子の一例を示す概略図である。
【図５】本考案を適用した電気とめさし器の電圧印加回路における電圧印加の時期と電圧値との関係の一例を示す概略図である。
【図６】本考案を適用した電気とめさし器を用いて、くくり式罠で捕獲されたイノシシなどの動物を気絶させたり、死に至らしめたりする様子の一例を示す概略図である。
【図７】従来の動物捕獲用の檻を示す概略図である。
【考案を実施するための形態】
【００２８】
以下、本考案の実施の形態について図面を参照しながら説明し、本考案の理解に供する。
図１は、本考案を適用した電気とめさし器の一例を示す概略図である。また、図２は、本考案を適用した電気とめさし器の電源部の一例を示す概略図である。
また、図３は、本考案を適用した電気とめさし器の鍔部の一例を示す概略図である。
【００２９】
図１に示す本考案の電気とめさし器１は、樹脂またはゴムなどの絶縁性材料で形成された、かつ、長手方向を有する棒状である本体２を備える。
また、本体２の外側面に、滑り難い材質で形成された例えばシート部材を貼り付けて、作業者の本体２を持つ手が滑り難くすることもできる。
また、本体２は、長手方向に少なくとも２つに分割可能であり、本体２を構成する分割構成体同士は、互いに着脱可能に連結されている。
【００３０】
また、本体２の外側面の箇所に、作業者が本体２を握ったとき指の形に対応した形の凹部を形成しておくことで、より一層、作業者の本体２を持つ手が滑り難くすることもできる。
【００３１】
また、本考案の電気とめさし器１は、図３に示すような略円形状の鍔部４を備える。
ここで、鍔部４の略中央領域には、鍔部４の一方の面と、この一方の面に対向する他方の面との間を貫通した貫通孔４Ａが形成されている。
【００３２】
すなわち、本体２の分割構成体の一方が貫通孔４Ａに挿通され、本体２の分割構成体の他方を分割構成体の一方と連結して、鍔部４は、本体２の連結部の外側面に、本体２の長手方向と略直交する方向へ突出して取付けられている。
また、鍔部４は、樹脂またはゴムなどの絶縁性材料で形成されている。
【００３３】
また、本体の、鍔部が取付けられる箇所には、本体と鍔部との接続が強固となるよう、鍔部の貫通孔の縁が嵌合する溝を本体の周方向に形成しておくこともできる。
【００３４】
また、鍔部４の形状は、必ずしも略円形状でなくてもよく、例えば、略三角形状、略四角形状、略五角形状とすることもできる。
また、図１では、鍔部が本体の１箇所に取付けられた例を示しているが、必ずしも鍔部の取付け箇所は１箇所でなくてもよく、複数箇所とすることもできる。
【００３５】
また、本考案の電気とめさし器１は、本体２の一端に取付けられた針部３を備える。
ここで、針部３は、本体２に取付けられた側とは反対側すなわち先端が円錐形状である針状であり、かつ、導電性材料すなわち金属で形成されている。
【００３６】
また、本考案の電気とめさし器１は、電源部５を備える。
ここで、電源部５は、針部３と電気的に接続された、かつ、針部３に所定のパルス状電圧または擬似正弦波電圧を印加可能な電圧印加回路５Ａを有する。
また、電源部５は、電圧印加回路５Ａと電気的に接続されて電圧印加回路５Ａに電力を供給可能な蓄電池すなわちバッテリー５Ｆを有する。
【００３７】
すなわち、箱状の電源部５に内蔵された電圧印加回路５Ａは、表面が樹脂またはゴムなどの絶縁性材料で覆われた導電線２Ａを介して、針部３と電気的に接続されている。
【００３８】
また、所定のパルス状電圧または擬似正弦波電圧とは、具体的には例えば、１００〜３００Ｖの電圧値、周波数１〜８０Ｈｚ、および放電エネルギー１〜１１０Ｊ／秒を有するパルス状電圧または擬似正弦波電圧である。
【００３９】
このような電圧値、周波数および放電エネルギーを有する、本考案の電気とめさし器のパルス状電圧または擬似正弦波電圧は、電気柵の柵線に印加される電圧に比べて時間当たりの放電エネルギーが高い。
この理由は、本考案の電気とめさし器が、田畑へ侵入しようとする動物の気絶または死を目的としていることと、針部を動物に突き刺したときにパルス状電圧または擬似正弦波電圧が印加されていればよく、通電時間が短いからである。
【００４０】
また、本考案の電気とめさし器１は、電圧印加回路５Ａと電気的に接続された、かつ、電圧が印加されたときに針部３の極と異なる極となるアース部６を備える。
すなわち、導電線２Ａは分岐して電源部５とアース部６に接続されており、アース部６は、導電線２Ａを介して電圧印加回路５Ａと電気的に接続されている。
【００４１】
また、アース部６は、金属棒を挟持可能な形状を有しており、図１に示すように、アース部６は具体的には例えばクリップ形状を有する。
【００４２】
また、本考案の電気とめさし器１は、オンとオフを切替え可能なスイッチ部７を備える。
ここで、スイッチ部７は、電圧印加回路５Ａと電気的に接続されており、かつ、本体２の外側面に取付けられている。
【００４３】
また、スイッチ部７は、図１に示すように、鍔部４よりも、本体２の他端すなわち針部３が取付けられた端部とは反対側の端部に近い位置に配置されている。
また、スイッチ部７は、オンとオフを切替えるためのレバー７Ａを有する。
【００４４】
また、スイッチ部は、オンとオフを切替えることができるのであれば、必ずしもレバーを有していなくてもよい。スイッチ部は、例えば、レバーの代わりにオンとオフを切替えるための押しボタンを有することもできる。
【００４５】
また、鍔部の取付け位置は、本体の略中央部から本体の他端までの領域にあることが好ましい。
なぜなら、鍔部の取付け位置が、本体の略中央部から本体の一端すなわち針部が取付けられた端部までの領域である場合、鍔部が檻の金属棒に当たり、本体を檻の内部に深く押し込むことが困難になるからである。
【００４６】
また、図２に示すように、電源部５は、針部３が短絡したときに、電圧印加回路５Ａからの電圧印加を停止可能な回路保護部５Ｂを有する。具体的には、インバーターからの電圧の供給を停止させる。
また、図示していないが、回路保護部５Ｂが電圧印加回路５Ａからの電圧印加を停止させた後に、再び電圧印加回路５Ａからの電圧印加を可能な状態に復帰させる機能すなわち復帰手段を、電源部は有することもできる。
【００４７】
また、図２に示すように、電源部５は、バッテリー５Ｆの残量を表示可能なバッテリー残量表示部５Ｃを有する。
また、電源部５は、バッテリー残量ボタン５Ｅを有しており、バッテリー残量表示部５Ｃは、バッテリー残量ボタン５Ｅが押されると、バッテリー５Ｆの残量を３段階で表示する。
【００４８】
また、図２に示すように、電源部５には、外部から電力を供給するための電力供給用コネクタを装着可能な充電用コネクタを有する充電口５Ｄが形成されている。
【００４９】
本考案の電気とめさし器において、電源部は、必ずしも回路保護部を有していなくてもよい。
しかし、電源部が回路保護部を有していれば、針部が金属に接触して短絡しても、電圧印加回路を保護することができるので好ましい。
【００５０】
また、本考案の電気とめさし器において、電源部は、必ずしもバッテリー残量表示部を有していなくてもよい。
しかし、電源部がバッテリー残量表示部を有していれば、作業者はバッテリーの残量を知ることができるので好ましい。
また、バッテリー残量表示部は、必ずしも残量を３段階で表示しなくてもよく、例えば５段階で表示することもできる。
【００５１】
また、本考案の電気とめさし器において、電源部には、必ずしも充電口が形成されていなくてもよい。
しかし、電源部に充電口が形成されていれば、バッテリーを電源部から出したり、電源部に入れたりすることなくバッテリーを充電することができるので好ましい。
【００５２】
また、アース部は、必ずしも金属棒を挟持可能な形状を有していなくてもよい。
しかし、アース部が、金属棒を挟持可能な形状を有していれば、檻を構成する金属棒や、地面に突き刺さった金属棒に、簡単にアース部を接続することができるので、アース部自体を地面に突き刺す必要がなく、アース部を接地し易い。
【００５３】
次に、図４および図５を参照して、本考案の電気とめさし器を用いた方法を説明する。
作業者は、クリップ形状を有するアース部６で檻８の金属棒８Ａを挟持し、アース部６を接地する。
【００５４】
すなわち、檻８の金属棒８Ａは地面に接しているので、アース部６を檻８の金属棒８Ａに接続することで、アース部６を接地することができる。
【００５５】
また、檻８の中では、生きているイノシシ９が暴れているときもある。このとき、作業者は、本体２の外側面に取付けられたスイッチ部７のレバー７Ａを一方に押して、スイッチ部７をオンにする。
【００５６】
スイッチ部７をオンにすると同時に、作業者は、一端に針部３が配置された本体２を持って、針部３をイノシシ９に向け、針部３をイノシシ９に突き刺す。
イノシシは動物の一例である。
【００５７】
イノシシ９の足は、暴れ回っていたとしても必ず地面または檻８の地面に接触した底部の金属棒に接触しているので、アース部６は常にイノシシ９に接触していることになる。
【００５８】
また、電圧印加回路５Ａは、電圧値１１８Ｖ、周波数５５Ｈｚおよび１秒当たりの放電エネルギー４２Ｊを有するパルス状電圧または擬似正弦波電圧を、針部３に印加する。このとき、図５に示すようなパルス状電圧または擬似正弦波電圧が発生している。また、このときの負荷は、数百Ω〜数キロΩである。
【００５９】
図５は、本考案を適用した電気とめさし器の電圧印加回路における電圧印加の時期と電圧値との関係の一例を示す概略図である。
【００６０】
また、針部３にパルス状電圧または擬似正弦波電圧が印加されているとき、針部３は陽極となっており、アース部６は陰極となっている。
【００６１】
図５に示すように、電圧印加回路５Ａでは、プラス１１８Ｖの電圧が８ミリ秒間発生し、その後、１ミリ秒間０Ｖとなり、さらにその後、マイナス１１８Ｖの電圧が８ミリ秒間発生し、その後、１ミリ秒間０Ｖとなって、再び、プラス１１８Ｖの電圧が８ミリ秒間発生する。
すなわち、１８ミリ秒間の周期でパルス状電圧または擬似正弦波電圧が発生する。
【００６２】
このとき、レバー７Ａが一方に押されている間、針部３にパルス状電圧または擬似正弦波電圧が印加されている。
また、レバー７Ａから指を離す、すなわちレバー７Ａが押されなくなると、針部３にパルス状電圧または擬似正弦波電圧は印加されなくなる。
【００６３】
また、イノシシ９に針部３を突き刺す際、本体２の外側面に本体２の長手方向と略直交する方向へ突出して鍔部４が取付けられているので、作業者の、本体２を持った手が滑っても、鍔部４に手が当たり、手が針部３やイノシシ９に接触してしまうことはない。
【００６４】
また、鍔部４に手を押し当てることで、本体２を長手方向に押す力を増大させることができるので、イノシシ９の体内に深く針部３を刺し込むことができる。
【００６５】
また、針部３は導電性材料で形成されており、また、電圧印加回路５Ａは針部３と電気的に接続されているので、電圧印加回路５Ａは針部３にパルス状電圧または擬似正弦波電圧を与え続ける。
【００６６】
針部３を突き刺した直後は、イノシシ９は暴れ回ることもあるが、パルス状電圧または擬似正弦波電圧がイノシシ９に与えられると、イノシシ９は気絶したり、死に至ったりする。
すなわち、本考案の電気とめさし器１は、鍔部４が本体２に取付けられているので、作業者は安心して針部３をイノシシ９に突き刺して、イノシシ９にパルス状電圧または擬似正弦波電圧を与えることができる。
【００６７】
次に、図６を参照して、本考案の電気とめさし器を用いてイノシシなどの動物を気絶させたり、死に至らしめたりする方法を説明する。
図６は、本考案を適用した電気とめさし器を用いて、くくり式罠で捕獲されたイノシシなどの動物を気絶させたり、死に至らしめたりする様子の一例を示す概略図である。くくり式罠とは、檻を使用しない罠である。
【００６８】
くくり式罠は次のようにして設置される。
まず、地面に直径約３０ｃｍの穴を掘り、穴の周囲を環状ワイヤーで取り囲む。環状ワイヤーは、長手方向を有する締め付け具の一端に取付けられており、締め付け具の他端には直線状ワイヤーの一端が取付けられている。
【００６９】
また、直線状ワイヤーの他端は、立木にくくりつけられている。直線状ワイヤーの長さは約２ｍである。
穴は、外部から判らないように、枯草や土で隠されている。
【００７０】
この穴にイノシシ９が足を踏み込むと、イノシシ９の踏み込んだ足には環状ワイヤー１０が絡みつき、締め付け具１２でイノシシ９の足はしっかり締め付けられる。
一端が締め付け具１２に取付けられた直線状ワイヤー１１の他端は、立木１３にくくりつけられているので、イノシシ９は立木１３に繋がれた状態となる。
【００７１】
仕掛けられていた環状ワイヤー１０で締め付けられたイノシシ９を発見した作業者は、さらに別の環状ワイヤー１０で、イノシシ９の部位例えば口または足を締め付ける。
【００７２】
この別の環状ワイヤー１０は、同じく長手方向を有する締め付け具１２の一端に取付けられており、締め付け具１２の他端には直線状ワイヤー１１の一端が取付けられている。
また、直線状ワイヤー１１の他端は、別の立木１３にくくりつけられている。
このようにして、くくり式罠でイノシシ９を捕獲する。
【００７３】
また、クリップ形状を有するアース部６で、立木１３にくくりつけられた直線状ワイヤー１１の他端を挟持し、アース部６を接地する。
【００７４】
また、作業者は、本体２の外側面に取付けられたスイッチ部７のレバー７Ａを一方に押してスイッチ部７をオンにする。
【００７５】
スイッチ部７をオンにすると同時に、作業者は、一端に針部３が配置された本体２を持って、針部３をイノシシ９に向け、針部３をイノシシ９に突き刺す。
【００７６】
また、電圧印加回路５Ａは、電圧値１１８Ｖ、周波数５５Ｈｚおよび１秒当たりの放電エネルギー４２Ｊを有するパルス状電圧または擬似正弦波電圧を、針部３に印加する。
【００７７】
針部３を突き刺した直後は、イノシシ９は暴れ回ることもあるが、パルス状電圧または擬似正弦波電圧がイノシシ９に与えられると、イノシシ９は気絶したり、死に至ったりする。
【００７８】
くくり式罠で捕獲されたイノシシは、檻に入れられたイノシシ以上に動き回った場合も、本考案の電気とめさし器は、鍔部４が本体２に取付けられているので、作業者は安心して針部３をイノシシ９に突き刺して、イノシシ９にパルス状電圧または擬似正弦波電圧を与えることができるので、効果をより発揮することができる。
【００７９】
また、動物としてイノシシを例に挙げて説明したが、例えば捕獲した猿を気絶させたり、死に至らしめたりする場合も、本考案の電気とめさし器は効果を発揮する。
【００８０】
以上のように、本考案の電気とめさし器は、絶縁性材料で形成されており、かつ、長手方向を有する本体と、本体の一端に取付けられており、かつ、本体に取付けられた側とは反対側が針状である針部を備えているので、作業者は、感電することなく、本体を持って、動物と距離を置きながら針部を動物に突き刺すことができる。
【００８１】
また、本考案の電気とめさし器は、導電性材料で形成された針部と、針部と電気的に接続された、かつ、針部に所定の電圧を印加可能な電圧印加回路とを備えているので、針部を動物に突き刺した状態で、動物に所定の電圧を与えることができる。
【００８２】
また、本考案の電気とめさし器は、本体の外側面に本体の長手方向と略直交する方向へ突出して取付けられた鍔部を備えているので、作業者の本体を持った手が滑って針部や動物に接触してしまうことを防止できる。
【００８３】
また、本考案の電気とめさし器は、電圧印加回路と電気的に接続された、かつ、電圧が印加されたときに針部の極と異なる極となるアース部を備えているので、作業者は、アース部を接地するだけで、地面に接している動物をアース部に接触していることにすることができる。
【００８４】
従って、作業者の本体を持った手が滑っても、鍔部に手が当たり、手が針部や動物に接触してしまうことはなく、作業者は安心して針部を動物に突き刺して、動物に所定の電圧を与えることができるので、本考案の電気とめさし器によって、安心して動物を気絶させたり、死に至らしめたりすることができる。
【符号の説明】
【００８５】
１    電気とめさし器
２    本体
２Ａ  導電線
３    針部
４    鍔部
４Ａ  貫通孔
５    電源部
５Ａ  電圧印加回路
５Ｂ  回路保護部
５Ｃ  バッテリー残量表示部
５Ｄ  充電口
５Ｅ  バッテリー残量ボタン
５Ｆ  バッテリー
６    アース部
７    スイッチ部
７Ａ  レバー
８    檻
８Ａ  金属棒
９    イノシシ
１０    環状ワイヤー
１１    直線状ワイヤー
１２    締め付け具
１３    立木
【図１】
0003202830.tif 000003
【図２】
0003202830.tif 000004
【図３】
0003202830.tif 000005
【図４】
0003202830.tif 000006
【図５】
0003202830.tif 000007
【図６】
0003202830.tif 000008
【図７】
0003202830.tif 000009